(57)【特許請求の範囲】
【請求項１】
複数の弾性ワイヤにより全体としてかご状に形成されたバスケットが、軸線方向に進退自在に導通路内に挿通配置された操作ワイヤの先端に連結された内視鏡用バスケット型回収具であって、
上記バスケットとして、
上記導通路外では自己の弾性によって膨らんで上記導通路内に引き込まれることにより窄まる後側バスケット部と、
上記後側バスケット部を形成する複数の弾性ワイヤを各々前方に延長させて形成され、上記後側バスケット部が上記導通路内に引き込まれて窄まる動作により膨らみ、上記後側バスケット部が上記導通路から押し出される動作により窄まる前側バスケット部とが設けられたものにおいて、
上記バスケットが上記導通路外に完全に出された状態の時に、上記前側バスケット部が微小なかご状に膨らむように形成されていて、その状態で上記前側バスケット部が最も膨らんでいる位置において、上記複数の弾性ワイヤが各々外に向かって凸に折り曲げられていることを特徴とする内視鏡用バスケット型回収具。
【発明の詳細な説明】
【０００１】
【発明の属する技術分野】
この発明は、内視鏡の処置具挿通チャンネルに挿脱して使用される内視鏡用バスケット型回収具に関する。
【０００２】
【従来の技術】
内視鏡用バスケット型回収具は一般に、複数の弾性ワイヤにより全体としてかご状に形成されたバスケットが、軸線方向に進退自在に可撓性シース内に挿通配置された操作ワイヤにより進退操作されて可撓性シースの先端内に出入りし、バスケットが可撓性シースの先端から押し出された状態では弾性ワイヤ自体の弾性によって膨らみ、可撓性シース内に引き込まれることにより弾性変形して窄まるようになっている。
【０００３】
【発明が解決しようとする課題】
内視鏡の処置具挿通チャンネルに挿通されたバスケット型回収具によって異物を捕獲したら、そのまま内視鏡ごと体外に引き出されるのが普通である。
【０００４】
その際に、異物を捕獲した状態のバスケットは周囲のもの（例えば噴門部等）に引っかかる等して牽引に対する抵抗が大きくなり、バスケットがシースの先端から先側にずるずると引き出された状態になってしまう。
【０００５】
すると、上述のような従来の内視鏡用バスケット型回収具では、バスケットがシースの先端内から出ることにより膨らみ量が大きくなるので、せっかく捕獲した異物がバスケットから外れて落下してしまう。
【０００６】
そのため、従来の内視鏡用バスケット型回収具を使用する際には、手元側でバスケット型回収具の操作ワイヤを牽引した状態を保ちながら内視鏡を注意深く体外に引き出す必要があり、操作に神経を使う必要があって操作者にとって負担になると同時に、捕獲した異物を結局途中で落下させてしまうことも珍しくなかった。
【０００７】
そこで本発明は、バスケット内に捕獲した異物を途中で落下させることなく容易かつ確実に回収することができる内視鏡用バスケット型回収具を提供することを目的とする。
【０００８】
【課題を解決するための手段】
上記の目的を達成するため、本発明の内視鏡用バスケット型回収具は、複数の弾性ワイヤにより全体としてかご状に形成されたバスケットが、軸線方向に進退自在に導通路内に挿通配置された操作ワイヤの先端に連結された内視鏡用バスケット型回収具において、バスケットとして、導通路外では自己の弾性によって膨らんで導通路内に引き込まれることにより窄まる後側バスケット部と、後側バスケット部を形成する複数の弾性ワイヤを各々前方に延長させて形成され、後側バスケット部が導通路内に引き込まれて窄まる動作により膨らみ、後側バスケット部が導通路から押し出される動作により窄まる前側バスケット部とを設けたものである。
【０００９】
【発明の実施の形態】
図面を参照して本発明の実施例を説明する。
図１は、本発明の第１の実施例の内視鏡用バスケット型回収具を示しており、１は、外径が２ｍｍ程度で長さが１〜２ｍの例えば四フッ化エチレン樹脂製チューブ等からなる可撓性シース（導通路）であり、図示されていない内視鏡の処置具挿通チャンネルに挿脱される。
【００１０】
可撓性シース１内には、操作ワイヤ２が軸線方向に進退自在に挿通配置されており、可撓性シース１の基端に連結された操作部２０において進退操作される。
操作ワイヤ２の先端には、４本の弾性ワイヤ１０の後端部が連結パイプ４を介して、ロー付け等によって連結されている。弾性ワイヤ１０は例えばステンレス鋼線の撚り線又は単線等により形成されていて、図２に示されるように９０°ずつ方向を変えて均等に膨らむように曲がり癖が付けられ、先端チップ５によって先端で一体に結束されている。
【００１１】
図１に示されるように、４本の弾性ワイヤ１０によって、自然状態でかご状をなす後側バスケット部１２が形成されている。この後側バスケット部１２は、可撓性シース１外では自己の弾性によってかご状に膨らんだ状態になり、可撓性シース１内に引き込まれることによって弾性変形して次第に窄まるようになっている。
【００１２】
また、後側バスケット部１２を形成する４本の弾性ワイヤ１０を各々前方に延長して形成された前側バスケット部１１は、自然状態ではほぼ完全に窄んだ状態になっているが、後側バスケット部１２が可撓性シース１内に引き込まれて窄まる動作により開き方向に駆動されて、図３に示されるように膨らむ。
【００１３】
そして、前側バスケット部１１は、後側バスケット部１２が可撓性シース１から押し出されるとその動作により駆動されて図１に示されるように窄まり、前側バスケット部１１自体が可撓性シース１内に引き込まれた場合には、後側バスケット部１２共々弾性変形して窄まる。
【００１４】
したがって、この内視鏡用バスケット型回収具を使用する際には、前側バスケット部１１まで可撓性シース１内に引き込んだ状態で内視鏡の処置具挿通チャンネルに通し、使用時には、図３に示されるように前側バスケット部１１だけを可撓性シース１の先端から押し出して膨らませ、その前側バスケット部１１内にポリープ１００等を捕獲する。
【００１５】
そのようにすることにより、次に内視鏡ごと体外に引き出される際には、図４に示されるように、前側バスケット部１１が可撓性シース１の先端からずるずると引き出されると、後側バスケット部１２も可撓性シース１の先端から引き出されるので、その動作によって前側バスケット部１１が窄まり、ポリープ１００を途中で落下させることなく確実に体外に回収することができる。この場合、前側バスケット部１１は常に締り方向になっているので、操作側の手を離しても、ポリープを落とすことは無い。
【００１６】
また、この実施例の内視鏡用バスケット型回収具においては、後側バスケット部１２も一般の内視鏡用バスケット型回収具と同様の異物捕獲能を有するので、回収時にポリープ１００を落下させる心配が少ないようなケースでは、図５に示されるように、後側バスケット部１２でポリープ１００を捕獲回収することもできる。
【００１７】
なお、上述の実施例では、図１に示されるように、前側バスケット部１１が自然状態において極めて小さなかご状になるように形成されている。
【００１８】
また、可撓性シース１を省略して、内視鏡の処置具挿通チャンネルに操作ワイヤを直接通してもよく、弾性ワイヤ１０の数は、３本でもよく５本以上であっても差し支えない。
【００１９】
【発明の効果】
本発明によれば、バスケットとして、導通路外では自己の弾性によって膨らんで導通路内に引き込まれることにより窄まる後側バスケット部と、後側バスケット部を形成する複数の弾性ワイヤを各々前方に延長させて形成され、後側バスケット部が導通路内に引き込まれて窄まる動作により膨らみ、後側バスケット部が導通路から押し出される動作により窄まる前側バスケット部とを設けたことにより、前側バスケット内にポリープ等の異物を捕獲して引き出す際には、前側バスケット部が導通路の先端からずるずると引き出されると、後側バスケット部が導通路から引き出される動作によって前側バスケットが窄まるので、前側バスケット内に捕獲した異物を落下させることなく容易かつ確実に回収することができる。
【図面の簡単な説明】
【図１】本発明の第１の実施例の内視鏡用バスケット型回収具の後側バスケット部が可撓性シースの先端から突出した状態の側面断面図である。
【図２】本発明の第１の実施例の内視鏡用バスケット型回収具の正面図である。
【図３】本発明の第１の実施例の内視鏡用バスケット型回収具の後側バスケット部が可撓性シースの先端内に引き込まれた状態の側面断面図である。
【図４】本発明の第１の実施例の内視鏡用バスケット型回収具の前側バスケット部内に異物を捕獲して回収する状態の側面断面図である。
【図５】本発明の第１の実施例の内視鏡用バスケット型回収具の後側バスケット部内に異物を捕獲した状態の側面断面図である。
【符号の説明】
１  可撓性シース（導通路）
２  操作ワイヤ
１０  弾性ワイヤ
１１  前側バスケット部
１２  後側バスケット部
【図１】
0004694010.tif 000002
【図２】
0004694010.tif 000003
【図３】
0004694010.tif 000004
【図４】
0004694010.tif 000005
【図５】
0004694010.tif 000006